(57)【特許請求の範囲】
【請求項１】
波長分割多重ネットワークの光パスを復旧するネットワーク構成装置において、
信号を受信し、該受信した信号を第１の信号群と多重化して現用系パスへ送信するための第１の合波信号を生成する第１の多重化部と、
信号を受信し、該受信した信号を第２の信号群と多重化して予備系パスへ送信するための第２の合波信号を生成する第２の多重化部と、
クライエントと接続して、該クライエントから信号を受信し、該信号を合波処理して前記現用系パスヘ送信させる前記第１の多重化部へ送り、前記現用系パスに障害が発生した場合には、前記第１の信号群とは独立して、前記信号を合波処理して前記予備系パスへ送信させる前記第２の多重化部へ切り替えるパスベーススイッチ（path-based switch）とを備えること
を特徴とするネットワーク構成装置。
【請求項２】
前記信号は第１の信号であり、
前記第１の多重化部は、パスベーススイッチを介さずにセルフヒーリングクライエントと接続され、該セルフヒーリングクライエントからの第２の信号を受信し、該第２の信号を第１の信号群の一部として前記第１の信号と多重化して前記現用系パスへ送信するものであり、
当該ネットワーク構成装置は、前記現用系パスでの障害発生に応じて、前記第２の信号を切り替えることなく前記第１の信号を前記第２の多重化部へ切り替えること
を特徴とする請求項１に記載のネットワーク構成装置。
【請求項３】
前記パスベーススイッチは光クロスコネクトスイッチであることを特徴とする請求項１に記載のネットワーク構成装置。
【請求項４】
前記パスベーススイッチと、該パスベーススイッチに接続された性能監視モニタ（performance monitor）とを備える切替モジュール（switching module）をさらに備え、
前記性能監視モニタは、前記クライエントからの信号を監視し、該信号が予め定めた条件を満たさない場合には警報通知情報を生成すること
を特徴とする請求項１に記載のネットワーク構成装置。
【請求項５】
前記第１の多重化部は、前記パスベーススイッチからの信号を監視し、該信号が予め定めた条件を満たさない場合には警報通知情報を生成する性能監視モニタを備えること
を特徴とする請求項１に記載のネットワーク構成装置。
【請求項６】
前記第１の多重化部は、前記信号の状態を通信する光監視信号を前記信号と多重化することで前記第１の合波信号を生成すること
を特徴とする請求項１に記載のネットワーク構成装置。
【請求項７】
前記パスベーススイッチは、
前記第１の多重化部と接続して、信号合波および前記現用系パスへの送信のために前記クライエントからの信号を前記第１の多重化部へ通信する現用系スイッチと、
前記第２の多重化部と接続して、信号合波および前記予備系パスへの送信のために前記クライエントからの信号を前記第２の多重化部へ通信する予備系スイッチとを備えていること
を特徴とする請求項１に記載のネットワーク構成装置。
【請求項８】
前記パスベーススイッチと電気−光変換器とを備える切替モジュールをさらに備え、
前記切替モジュールは、光信号から電気信号へ変換し、該電気信号を前記第１の多重化部および前記第２の多重化部のいずれか一方へ切り替え、該切替後の前記電気信号を合波および送信処理のために光信号へ変換すること
を特徴とする請求項１に記載のネットワーク構成装置。
【請求項９】
前記第２の多重化部と前記パスベーススイッチとの接続されたライン信号再生器（line regenerator）をさらに備え、
前記ライン信号再生器は、前記パスベーススイッチから前記第２の多重化部へ通信される信号を再生すること
を特徴とする請求項１に記載のネットワーク構成装置。
【請求項１０】
前記第１の多重化部と接続して、信号合波および前記現用系パスへの送信処理のために、前記パスベーススイッチから前記第１の多重化部へ通信される信号を監視する第１のトランスポンダと、
前記第２の多重化部と接続して、信号合波および前記予備系パスへの送信処理のために、前記パスベーススイッチから前記第２の多重化部へ通信される信号を監視する第２のトランスポンダとをさらに備えること
を特徴とする請求項１に記載のネットワーク構成装置。
【請求項１１】
前記パスベーススイッチおよび前記クライエントと接続して、前記クライエントから前記パスベーススイッチへ通信された信号を監視するトランスポンダをさらに備えること
を特徴とする請求項１に記載のネットワーク構成装置。
【請求項１２】
前記パスベーススイッチと前記クライエントとを接続するためのハードウエアインターフェースをさらに備えること
を特徴とする請求項１に記載のネットワーク構成装置。
【請求項１３】
前記パスベーススイッチと前記クライエントとを接続するためのネットワーク装置管理マネージャ（element manager）をさらに備えること
を特徴とする請求項１に記載のネットワーク構成装置。
【請求項１４】
前記信号は、制御通信チャンネル（control communication channel）を含むペイロードを備えること
を特徴とする請求項１に記載のネットワーク構成装置。
【請求項１５】
前記現用系パスと前記予備系パスとはリング上に設けられていること
を特徴とする請求項１に記載のネットワーク構成装置。
【請求項１６】
前記現用系パスは第１のリングに設けられ、前記予備系パスは第２のリングに設けられていること
を特徴とする請求項１に記載のネットワーク構成装置。
【請求項１７】
波長多重ネットワークにおける光パスの障害を復旧するネットワーク構成装置において、
信号を受信し、該受信した信号を第１の信号群と多重化して現用系光パスへ送信するための第１の合波信号を生成する第１の多重化部と、
前記信号を受信し、該信号を第２の信号群と多重化して、第１の予備系光パスへ送信するための第２の合波信号を生成する第２の多重化部と、
前記信号を受信し、該信号を第３の信号群と多重化して、第２の予備系光パスへ送信するための第３の合波信号を生成する第３の多重化部と、
パスベーススイッチ（path-based switch）と、を有し、
前記パスベーススイッチは、
クライエントから信号を受信し、該信号を前記第１の多重化部へ送り、そこで合波処理して現用系光パスへ送信させると共に、
前記現用系光パスに障害が発生した場合には、該信号を前記第１の信号群とは独立して前記第２の多重化部に切り替え、そこで合波処理して前記第１の予備系パスに送信させ、
前記現用系光パスおよび前記第１の予備系光パスに障害が発生した場合には、該信号を前記第１の信号群とは独立して前記第３の多重化部に切り替え、そこで合波処理して前記第２の予備系光パスに送信させること
を特徴とするネットワーク構成装置。
【発明の詳細な説明】
【０００１】
【発明の属する技術分野】
本発明は、光ネットワーク分野に係わり、特に、波長分割多重ネットワークにおける光パス（optical path）の障害復旧（restore）方法及びシステムに関するものである。
【０００２】
【従来の技術】
インターネットトラフィックの爆発的増加に伴い、高密度波長多重（ＤＷＤＭ:Dense Wavelength Division Multiplexing）ネットワークにおいて大容量、低コスト、高信頼なデータ伝送に対する需要が高まっている。ＤＷＤＭネットワークの光パスに障害が発生した場合には、大量のデータが失われる可能性がある。障害復旧方式及びシステムは、障害が発生した場合に、データトラフィックを代替通信路へ切り替えるために使用される。しかし、障害復旧の従来方式及びシステムは、ＤＷＤＭネットワークに対して効果的ではなかった。
【０００３】
時分割多重（TDM：Time Division Multiplexing）ネットワークのノードにおける信号の障害復旧方式に関する一従来技術によれば、信号はＳＯＮＥＴ（Synchronous Optical NETwork ）/ＳＤＨ（Synchronous Digital Hierarchy ）のフォーマットにより多重化され、デジタルクロスコネクト、双方向ライン切替リング（BLSR：Bi-Directional Line Switched Ring）、単方向パスリング（UPSR：Uni-Directiuonal Switched Ring）等により実現される。ＳＯＮＥＴ/ＳＤＨシステムでは、時間領域において切替を行う。時分割多重スイッチはタイムスロットに対応した複数ポートを備えている。入出力ポートは、対応する各タイムスロット選択することにより接続が可能となる。このネットワークは、小容量トラフィックの束を取り扱うような電話回線ネットワークに適している。しかしながら、現在のネットワークの容量増大を促進しているIPデータトラフィックは、IPルータやATM（Asynchronous Transfer Ｍode）交換機からの大容量なポイント ツ− ポイントトラフィックで構成されている。既に、IPルータやATM（Asynchronous Transfer Ｍode）交換機から出力される信号の伝送速度は、SONET/SDH多重伝送装置のパス速度と等しくなり、IPデータトラフィックに対しては、SONET/SDHの多重機能と切替機能が不要となってきている。従って、光領域での障害復旧の実現が波長多重ネットワークにおいて必要となっている。波長多重ネットワークにおける障害復旧の切替には、波長多重された光信号で切り替える場合と波長単位で切り替える場合の２方式がある。
【０００４】
DWDMネットワークノードおける信号の障害復旧方式に関する一従来技術によれば、光クロスコネクトシステムの障害復旧機能がある。メッシュネットワークのために設計された光クロスコネクトシステムによれば、選択可能な複数の代替経路が設けられており、障害復旧資源の効率的な利用が可能となっている。しかし、メッシュネットワーク光クロスコネクトシステムは、管理が複雑で復旧に時間がかかる。例えば、U.S 5、457、556では、ネットワークの救済機能を持つ光クロスコネクトシステムが開示されている。このシステムは、3つの切替レイヤを管理する。一つ目は波長多重された光信号で切り替える光空間スイッチで、二つ目は波長単位で切り替える光空間スイッチで、三つ目は時分割多重スイッチである。各レイヤは独自の復旧機能を備えているので、このシステムでは各レイヤでの復旧切替の衝突を防止するために、各レイヤのスイッチを管理するネットワークセンタを必要とする。信号の異常がネットワーク上で検出されると、ネットワークセンタに通信される。切替の衝突を防止するために、ネットワークセンタがどのレイヤにおいて切替を行うかを決定して切替実行の要求を出す必要がある。また、リングトポロジーを用いて高速復旧を行う別の光クロスコネクトシステムが提案されている。例えば、U.S 5、457、556では、光切替とSONET時分割多重スイッチが組み合わされている。しかし、この例は、時分割多重スイッチのため大容量のトラフィックには適さない。また、波長多重された光信号で切替を行う光リングネットワークが提案されている。一般に、波長多重装置には様々なクライエントが接続されるため、このようなシステムでは自動復旧機能をもつSONET/SDH装置などが一緒に接続されると切替の衝突が発生する。従って、管理がとても複雑になる。また、U.S 5、870、212では、波長単位で切り替える光クロスコネクトシステムが開示されている。しかしながら、これはリンクベースの切替を行っており、光パスが通過する全てのノードに切替機能が必要となり経済的でない。
【０００５】
【発明が解決しようとする課題】
DWDMネットワークノードでは、ＩＰルータやＡＴＭ交換機や既存のＳＯＮＥＴ／ＳＤＨ多重伝送装置等々、様々なクライエントが接続される。ＩＰルータやＡＴＭ交換機からのデータトラフィックは、SONET/SDHの多重機能と切替機能が不要となってきている。従って、光領域での障害復旧の実現が波長多重ネットワークにおいて必要である。また、接続されるクライエントでは、セルフヒーリング機能が有るものと無いものとがあり、光領域での切替を実施した場合に他のシステムとの切替の衝突が問題となる。また、光パスが通過する全てのノードに切替機能を必要とすると大規模なスイッチが必要となり、効率や経済性が問題となる。
【０００６】
本発明では、上述した従来技術の課題を考慮して成されたものであり、その目的は上記課題や不利点を解消或いは軽減することができる、光ネットワークにおける光パスの障害復旧方法及びシステムを提供することにある。
【０００７】
【課題を解決するための手段】
本発明によれば、従来技術のシステムや方法に係わる不利益や課題を実質的に解消あるいは軽減することができる、光ネットワークにおける光パスの障害復旧方法およびシステムが提供される。
【０００８】
本発明の一実施態様によれば、波長分割多重ネットワークにおける光パスを障害復旧するためのネットワーク構成要素（network element）が開示される。本ネットワークは、信号を受信し、該受信した信号を第１の信号群と多重化して現用系パス（working path）へ送信するための第１の合波信号を生成する第１の多重化装置を備える。第２の多重化装置は、前記信号を受信し、該信号を第２の信号群と多重化して、予備系パス（restoration path）へ送信するための第２の合波信号を生成する。パスベースのスイッチ（path-based switch）は、クライエントから信号を受信し、該信号を第１の多重化装置へ送り、そこで合波処理して現用系パスヘ送信させ、現用系パスに障害が発生した場合には、該信号を第１の信号群とは独立して第２の多重化装置へ切り替え、そこで合波処理して予備系パスへ送信させる。
【０００９】
本発明の他の実施態様によれば、波長多重ネットワークにおける光パスを障害復旧するためのネットワーク構成要素が開示される。本ネットワークは、信号を受信し、該受信した信号を第１の信号群と多重化して現用系光パスへ送信するための第１の合波信号を生成する第１の多重化装置を備える。第2の多重化装置は、前記信号を受信し、該信号を第２の信号群と多重化して、予備系光パスで送信するための第２の合波信号を生成する。第３の多重化装置は、前記信号を受信し、該信号を第３信号群と多重化して、予備系光パスで送信するための第３の合波信号を生成する。パスベースのスイッチは、クライエントから信号を受信し、該信号を第１の多重化装置へ送り、そこで合波処理して現用系光パスへ送信させ、現用系光パスに障害が発生した場合には、該信号を第１の信号群とは独立して第2の多重化装置に切り替え、そこで合波処理して予備系光パスに送信させ、現用系光パスと第2の多重化装置の予備系光パスに障害が発生した場合には、該信号を第１の信号群とは独立して第３の多重化装置に切り替え、そこで合波処理して予備系光パスに送信させる。
【００１０】
本発明の他の実施態様によれば、波長分割多重ネットワークが開示される。本ネットワークは、波長分割多重ネットワークの第２のノードへ再送信させるために、該波長分割多重ネットワークの第１のノードへ第１の信号を送信するクライエントを備える。セルフヒーリングクライエントは、波長分割多重ネットワークの第２のノードへ再送信させるために該波長分割多重ネットワークの第１のノードへ第２の信号を送信し、第１の信号とは独立に第２の信号について保護切替処理（protection switching）を実行する。第１のノードは第１の信号のためのパスベースのスイッチを備え、該パスベースのスイッチは第２の信号とは独立して第１の信号のための保護切替処理を実行する。
【００１１】
本発明の他の実施態様によれば、波長分割多重ネットワークにおける光パスの障害復旧方法が開示される。現用系パスへ送信するための第１の信号がクライエントより受信される。現用系パスへ送信するための第２の信号がセルフヒーリングクライエントより受信される。現用系パスに障害が発生したとの判断が下される。第１の信号は、第２の信号とは独立して予備系パスへ切り替えられる。セルフヒーリングクライエントは、第２の信号に対する保護切替処理の実施を独立して行うことができる。第１の信号は一群の信号と多重化されて合波信号が生成され、該合波信号は予備系パスへ送信される。
【００１２】
本発明の他の実施態様によれば、波長分割多重ネットワークにおける光パスの障害復旧方法が開示される。信号がクライエントより受信される。この信号は適宜、合波し現用系パスへ送信する第１の多重化装置および合波し予備系パスへ送信する第２の多重化装置のいずれか一方へ、パスベースのスイッチを用いて、現用系パスの状態に応じて切り替えられる。第１の多重化装置で信号が受信されると、該信号は第１の信号群と多重化され、現用系パスへ送信される第１の合波信号が生成される。第２の多重化装置で信号が受信されると、該信号は第２の信号群と多重化され、予備系パスへ送信される第２の合波信号が生成される。
【００１３】
【発明の実施の形態】
図１は、本発明の一実施形態における光ネットワーク１００のブロック図である。光ネットワーク１００は、図１に示すように、光伝送媒体で互いに接続された、複数のネットワーク構成要素から構成されネットワークノード１０１、１０３を備えている。クライエント１１０ａ−ｂおよび１３４は、ネットワークノード１０１、１０３を通して信号を送る。ネットワークノード１０１は、例えば光クロスコネクト（ＯＸＣ）等のパスベースの切替モジュール（switching module）１０２を備えるもので、切替モジュール１０２は、選択された個別信号の光パスを波長レベルで、現用系ファイバ１０４から予備系ファイバ１０６へ切り替えることで、切替処理を実行する。切替モジュール１０２はクライエントからの信号を、該信号が他の信号と多重化される前に切り替えることで、適宜切替処理を実施する。光パスは、信号の発生源であるクライエントに最も近い発信元ネットワークノードから送信先クライエントに最も近い着信先ネットワークノードまでの波長パスであって、一部の経路で電気信号を含む構成としても良い。図１に示す実施形態では、クライエント１１０ａ−ｂからの信号だけが切り替えられている。以下でより詳細に説明されるように、クライエント１３４は自身でセルフヒーリング機能を備えている。ネットワークノード１０３はネットワークノード１０１と同様である。ネットワークノード１０３は切替モジュール１２０を備え、切替モジュール１２０は、光パスの障害復旧のために、選択された個別の信号を現用系ファイバ１０４から予備系ファイバ１０６へ波長レベルで切り替える。
【００１４】
本実施形態では、クライエント１１０ａ−ｂはＯＸＣ１０２と信号通信を行う。ＯＸＣ１０２は、ソフトウエア的に、ハードウエア的に、あるいはこれらの適切な任意の組み合わせによって実現される。ＯＸＣ１０２のスイッチ１１２ａはクライエント１１０ａから信号を受信し、ＯＸＣ１０２のスイッチ１１２ｂはクライエント１１０ｂから信号を受信する。ＯＸＣ１０２は、現用系ファイバ１０４を介しての信号通信が可能かを判断する。現用系ファイバ１０４が信号通信に利用可能な場合、ＯＸＣ１０２は波長分割多重装置（ＷＤＭ）１１４へ信号を通信する。ＷＤＭ１１４はこの信号を、例えばクライエント１３４からの信号など他の入力信号と多重化する。ＷＤＭ１１４は現用系ファイバ１０４を介してＷＤＭ１１６へ多重化信号を通信する。ＷＤＭ１１６は入力信号を分離し、スイッチ１２２ａ−ｂを備えるＯＸＣ１２０へクライエント１１０ａ−ｂからの信号を通信する。より具体的には、スイッチ１２２ａはクライエント１１０ａからの信号を受信し、スイッチ１２２ｂはクライエント１１０ｂからの信号を受信する。ＯＸＣ１２０はクライエント１２４ａ−ｂへこれらの信号を通信する。より具体的には、クライエント１２４ａはクライエント１１０ａからの信号を受信し、クライエント１２４ｂはクライエント１１０ｂからの信号を受信する。
【００１５】
現用系ファイバ１０４が信号通信に利用できない場合、ＯＸＣ１０２はクライエント１１０ａ−ｂからの信号をＷＤＭ１３０へ切り替える。ＷＤＭ１３０は入力信号をクライエント１３４からの信号と多重化する。ＷＤＭ１３０は予備系ファイバ１０６を介してＷＤＭ１３２へ多重化信号の通信を行う。ＷＤＭ１３２は信号を分離し、該信号をＯＸＣ１２０へ通信する。ＯＸＣ１２０は、クライエント１１０ａ―ｂからの信号をクライエント１２４ａ−ｂへそれぞれ通信する。
【００１６】
光ネットワーク１００は、自身がセルフヒーリング又は保護・復旧機能を備えるクライエント１３４及び１３６を収容する。クライエント１３４は、現用系フャイバ１０４が信号通信に使用できるかの判断を下す。現用系ファイバ１０４を通しての信号通信が可能な場合には、クライエント１３４はＷＤＭ１１４へ信号を通信する。クライエント１３４からの信号はＯＸＣ１０２を迂回するため、ＯＸＣ１０２の保護又は復旧機能との切替衝突（switching conflict）の発生を未然に防ぐことができる。さらに、ＯＸＣ１０２の保護・復旧機能をクライエント１３４のために使用しないことにより、その機能の保存が図られる。ＷＤＭ１１４はクライエント１３４からの信号をクライエント１１０ａ−ｂからの信号と共に多重化する。次に、多重化された信号は現用系ファイバ１０４を介して、入力信号の分離を行うＷＤＭ１１６へ通信される。ＷＤＭ１１６はクライエント１３４からの信号をクライエント１３６へ通信する。現用系ファイバ１０４が信号通信に使用できない場合には、クライエント１３４はＷＤＭ１３０へ信号を通信し、そこでクライエント１３４からの信号はクライエント１１０ａ−ｂからの信号と共に多重化される。多重化された信号は予備系ファイバ１０６を介して、入力信号を分離するＷＤＭ１３２へ通信される。ＷＤＭ１３２はクライエント１３４からの信号をクライエント１３６へ通信する。
【００１７】
また、信号は逆方向へも通信可能である。信号はクライエント１２４ａ−ｂから、現用系ファイバ１０４での信号通信が可能かを判断するＯＸＣ１２０へ通信される。現用系ファイバ１０４を通しての信号通信が可能な場合には、クライエント１２４ａ−ｂからの信号はＯＸＣ１２０、ＷＤＭ１１６、現用系ファイバ１０４、ＷＤＭ１１４およびＯＸＣ１０２を通して、クライエント１１０ａ−ｂへ通信される。現用系ファイバ１０４を通しての信号通信が可能でない場合には、クライエント１２４ａ−ｂからの信号はＯＸＣ１２０、ＷＤＭ１３２、予備系ファイバ１０６、ＷＤＭ１３０およびＯＸＣ１０２を通して、クライエント１１０ａ−ｂへ通信される。同様に、クライエント１３６からクライエント１３４へ信号通信が行われる。クライエント１３６が現用系ファイバ１０４を通しての信号通信が可能と判断した場合には、クライエント１３６からの信号はＷＤＭ１１６、現用系ファイバ１０４およびＷＤＭ１１４を通して、クライエント１３４へ通信される。現用系ファイバ１０４を通しての信号通信ができないと判断した場合には、クライエント１３６からの信号はＷＤＭ１３２、予備系ファイバ１０６およびＷＤＭ１３２を通して、クライエント１３４へ通信される。
【００１８】
図２は、本発明の一実施形態による図１の光ネットワーク１００で使用される中間ネットワークノード２００のブロック図である。ネットワークノード２００は、図１に関連して説明したように光パスの障害復旧を行うＯＸＣ１０２を備えている。ネットワークノード２００はさらに、図２に示すように互いに光通信媒体で接続されているＷＤＭ１１４、１３０、２１４、２３０、現用系ファイバ１０４、２０４および予備系ファイバ１０６、２０６を備えている。ＯＸＣ１０２はクライエント１１０ａ−ｂからの信号を受信し、現用系ファイバ１０４、２０４それぞれでの信号通信が可能かを判断する。現用系ファイバ１０４、２０４を通しての信号通信が可能な場合には、クライエント１１０ａ−ｂから信号は現用系ファイバ１０４、２０４を通して通信される。現用系ファイバ１０４または２０４が信号通信に使用できない場合にはそれぞれ、ＯＸＣ１０２は波長レベルで個々の信号を切り替え、予備系ファイバ１０６または２０６を通して信号通信を行う。ＯＸＣ１０２は、クライエントからの信号が他の信号と多重化される前に切り替えることで、個々の信号の切替処理を実施する。
【００１９】
クライエント１１０ａ−ｂはそれぞれ、性能監視モニタ（ＰＭ）（performance monitor）２０２ａ−ｂを備えている。性能監視モニタ２０２ａ−ｂは信号損失および信号劣化などの障害検出および隔離情報を提供する。ＯＸＣ１０２はコントローラ２１０、光スイッチ２１２および性能監視モニタ２１４を備えている。コントローラ２１０はＯＸＣ１０２の動作を制御し、光スイッチ２１２に対し制御指示を行う。光スイッチ２１２は、現用系ファイバ１０４が使用できない場合には通信パスを現用系ファイバ１０４から予備系ファイバ１０６へ切り替え、現用系ファイバ２０４が使用できない場合には通信パスを現用系ファイバ２０４から予備系ファイバ２０６へ切り替える。性能監視モニタ２１４は性能監視モニタ２０２ａ−ｂと同様な情報と、現用系ファイバ１０４、２０４が利用可能か否かに関する情報とを提供する。性能監視モニタ２１４、２０２ａ−ｂは信号情報をコントローラ２１０および他のネットワーク構成要素へ通信する。クライエント１１０ａ−ｂは、例えばハードウエアインターフェースまたはネットワーク装置管理マネージャ（element manager）２０３等の、任意の適切なインターフェースを用いてＯＸＣ１０２と通信する。ネットワーク装置管理マネージャ２０３は、入力信号の信号情報をモニタし、該信号情報をＯＸＣ１０２および他のネットワーク構成要素へ通信する。
【００２０】
本発明の一実施形態において、ライン信号再生器（ＬＲＥ）２４０、２４２（line regenerator）はＯＸＣ１０２、ＷＤＭ２３０、１３０と、予備系ファイバ２０６、１０６によって接続されている。ＬＲＥ２４０、２４２はそれぞれ、信号品質を向上するために、予備系ファイバ２０６、１０６を通して通信される信号を再生する。ＬＲＥ２４０、２４２はそれぞれ予備系ファイバ２０６、１０６の性能監視モニタリングを行うと共に、予備系ファイバの光増幅器のシャットダウンを予防する。また、ＬＲＥ２４０、２４２は、２方向ＷＤＭシステムでは波長変換処理を行うために利用でき、さらにまた、オーバーヘッド部の予備バイトによる通信チャンネルを提供するための、信号オーバーヘッド部へのアクセス手段として利用することもできる。また、ＬＲＥ２４０、２４２の代わりにトランスポンダ（transponder）を使用する構成としても良い。
【００２１】
ＷＤＭ１１４は、図２に示すように、バスあるいはその他の適切な媒体によって接続された性能監視モニタ２２０ａ、ＷＤＭ２２２ａ、光増幅器２２４ａおよび光監視チャンネル（ＯＳＣ）２２６ａを備えている。性能監視モニタ２２０ａはＯＸＣ１０２からの信号を受信し、性能監視モニタ２０２ａ−ｂが提供するものと同様な信号情報を提供する。性能監視モニタ２２０ａは信号情報をＯＸＣ１０２および他のネットワークノードへ通信する。ＷＤＭ２２２ａは性能監視モニタ２２０ａから信号を受信し、該信号を多重化する。ＯＡ２２４ａは多重化された信号をＷＤＭ２２２ａから受信し、該信号を増幅する。ＯＳＣ２２６ａは、管理チャンネル（management channel）の管理を行い、性能監視モニタ２０２ａ−ｂからの信号情報をコントローラ２１０を介して受信する。ＯＳＣ２２６ａは、この情報および他の情報を、現用系ファイバ１０４を介して通信された信号のオーバーヘッド部で通信する。ＷＤＭ１１４は現用系ファイバ１０４を通して信号通信を行う。ＷＤＭ１１４を通して信号は逆方向にも送信することができる。ＷＤＭ１３０、２１４、２３０は同様な構成を備えている。ＷＤＭ１３０、２１４、２３０はそれぞれ、性能監視モニタ２２０ｂ−ｄ、ＷＤＭ２２２ｂ−ｄ、ＯＡ２２４ｂ−ｄおよびＯＳＣ２２６ｂ−ｄを備えており、各構成要素はそれぞれ性能監視モニタ２２０ａ、ＷＤＭ２２２ａ、ＯＡ２２４ａおよびＯＳＣ２２６ａと同様な機能を実現する。
【００２２】
図３は、本発明の一実施形態におけるカードシェルフ（card shelf）構成のＯＸＣ１０２のブロック図である。本実施形態において光ネットワーク１００は、波長面（wavelength plane）２５０ａ−ｂに対応する複数のサブレイヤーに分割されている。波長面２５０ａ−ｂにより、選択された波長を持つ信号の切替制御する切替ユニットの挿入が可能になる。ＯＸＣ１０２は、該ＯＸＣ１０２をネットワークノードの他モジュールと接続するＩ／Ｏコントローラ２５２を備えている。Ｉ／Ｏ２５２はマスターシェルフ（master shelf）コントローラ２５４と接続されている。マスターシェルフコントローラ２５４は入出力される信号の警報およびステータス情報を管理する。マスターシェルフコントローラ２５４は波長ユニットコントローラ２５１ａ-ｃを通して波長面２５０ａ-ｃに接続されている。各波長ユニットコントローラ２５１ａ-ｃは、特定波長の信号の切替を行う。更に多くの波長面が必要な場合には、入出力信号の警報及びステータス情報の管理を行うスレーブシェルフコントローラ２５６が拡張されてもよい。スレーブシェルフコントローラ２５６は波長ユニットコントローラ２５８ａ-ｃに接続される。波長ユニットコントローラ２５８ａ-ｃは、特定波長の信号の切替を行う。スレーブシェルフコントローラ２６０、２６２は同様の各波長ユニットコントローラに接続され、別の波長面上での切替に用いられる。
【００２３】
図４は、本発明の一実施形態における図１の光ネットワーク１００で使用することができるトランスポンダ３０２、３０４、３０６を備えるノードのブロック図である。トランスポンダ３０２はクライエント１１０ａ−ｂおよびＯＸＣ１０２と接続されている。トランスポンダ３０４はＯＸＣ１０２およびＷＤＭ２１４、２３０と接続されている。同様に、トランスポンダ３０６はＯＸＣ１０２およびＷＤＭ１１４、１３０と接続されている。トランスポンダは光信号を、よりコストがかかるものの光ネットワーク性能の向上を図ることができる電気信号に変換する。トランスポンダ３０２、３０４、３０６は、自身を通って伝送される信号について、監視、障害検出および障害隔離を行う機能を備えている。また、トランスポンダ３０２、３０４、３０６は、信号のオーバーヘッド部にアクセスし、読み出しあるいは書き込みを行うことで通信する機能を備えている。したがって、トランスポンダ３０２、３０４、３０６は、ビットエラーレート、信号損失、警報通知および自動保護切替に関する情報を提供するために使用される。
【００２４】
図５は、本発明の一実施形態における図２のネットワークノード２００と同様なネットワークノードにより使用できるスイッチ（ＳＷ）４０２のブロック図である。ＯＸＣ１０２は、図５に示すように、現用系ファイバ１０４、２０４、予備系ファイバ１０６、２０６、ＷＤＭ１１４、１３０、２１４、２３０、およびクライエント１１０ａ−ｂと光伝送媒体で接続されているスイッチ４０２を備えている。各構成要素は上述したような構成および動作を備えている。性能監視モニタ、トランスポンダまたは他の適切なネットワーク構成要素を、クライエント１１０ａ−ｂとスイッチ４０２との間に配置する構成としても良い。
【００２５】
スイッチ４０２は光信号を電気信号に変換することなく切り替える。スイッチ４０２は、予備系スイッチ（restoration switch）４０４と現用系スイッチ（working switch）４０６ａ−ｂとを備えている。クライエント１１０ａ−ｂのそれぞれは自身の現用系スイッチを備えているが、予備系スイッチ４０４を共用している。現用系ファイバ１０４が信号通信に使用できる場合には、スイッチ４０２は現用系スイッチ４０６ｂを使用し、クライエント１１０ｂと現用系ファイバ１０４との間で通信を行わせる。現用系ファイバ１０４が信号通信に使用できない場合には、スイッチ４０２は予備系スイッチ４０４を使用し、クライエント１１０ｂと予備系ファイバ１０６との間で通信を行わせる。同様に、現用系ファイバ２０４が信号通信に使用できる場合には、スイッチ４０２は現用系スイッチ４０６ａを使用し、クライエント１１０ａと現用系ファイバ２０４との間で通信を行わせる。現用系ファイバ２０４が信号通信に使用できない場合には、スイッチ４０２は予備系スイッチ４０４を使用し、クライエント１１０ａと予備系ファイバ２０６との間で通信を行わせる。予備系スイッチ４０４と現用系スイッチ４０６ａ−ｂとを分離して設けることで、サービス提供中でも障害のある現用系スイッチ４０６ａ−ｂのメンテナンスが可能となる。
【００２６】
図６は、本発明の一実施形態における光スイッチ４０２の代わりに使用できる電気スイッチ５０２のブロック図である。電気的な切替処理（electrical switching）によれば、低コストで信頼性の高い切替処理が実現できる。加えて、電気的切替処理では光信号を電気信号へ変換するため、信号の性能（performance）を電気的状態で容易にモニタすることができる。さらに、信号を電気信号に変換するトランスポンダが使用される場合には、電気的切替処理がより容易になる。本実施形態においてＯＸＣ１０２は、図５に示すように互いに接続された、電気スイッチ５０２、コントローラ２１０、光−電気（ＥＯ）モジュール５０６ａ−ｂ、５０８ａ−ｂ、５１０ａ−ｂ、５１２ａ−ｂ、５１４ａ−ｂ、５１６ａ−ｂ、および光性能監視モニタ５０４を備えている。ＯＸＣ１０２は、現用系ファイバ１０４、２０４、予備系ファイバ１０６、２０６、ＷＤＭ１１４、１３０、２１４、２３０、およびクライエント１１０ａ−ｂと適切な伝送媒体により接続されている。各構成要素は上述したような構成を備えて動作するものである。電気スイッチ５０２は電気スイッチ５２２と接続されている電気回路５２０を備えている。
【００２７】
光性能監視モニタ５０４は、クライエント１１０ａ−ｂ、現用系ファイバ１０４、２０４および予備系ファイバ１０６、２０６から受信された信号をモニタする。電気−光（ＥＯ）モジュール５０６ａ−ｂはクライエント１１０ａからの光信号を電気信号に変換し、電気回路５２０からの電気信号を光信号に変換する。同様に、ＥＯ５０８ａ−ｂはクライエント１１０ｂからの光信号を電気信号に変換し、電気回路５２０からの電気信号を光信号に変換する。ＥＯ５１０ａ−ｂは予備系ファイバ２０６からの光信号を電気信号に変換し、電気回路５２０からの電気信号を光信号に変換する。ＥＯ５１２ａ−ｂ、ＥＯ５１４ａ−ｂ、ＥＯ５１６ａ−ｂも同様に動作するもので、ファイバ２０４、１０６、２０４からの光信号をそれぞれ電気信号に変換し、電気回路５２０からの電気信号を光信号に変換する。
【００２８】
電気回路５２０は、ＥＯ５１０ａ−ｂ、５１２ａ−ｂ、５１４ａ−ｂ、５１６ａ−ｂからの電気信号を受信する。電気回路５２０は、入力電気信号の性能をモニタし、また、該入力信号のオーバーヘッドチャンネルを用いて情報の読出又は書込を行う。電気スイッチ５２２は電気回路５２０からの電気信号を受信する。コントローラ２１０は現用系ファイバ１０４、２０４を介して信号が送信できるかを判断する。現用系ファイバ１０４、２０４を介しての信号通信が可能な場合には、電気スイッチ５２２が信号をファイバ１０４、２０４へ送る。現用系ファイバ１０４または２０４を介しての信号通信ができない場合には、電気スイッチ５２２は対応する予備系ファイバ１０６または２０６を用いて通信を行う。
【００２９】
図７は、本発明の一実施形態で使用できる光リング６００のネットワークノードのブロック図である。光リング６００は、図７に示すように光伝送媒体で接続されている、ネットワークノード２００、６０４、６０６、６０８、およびクライエント６１０ａ−ｂ、６１２ａ−ｂ、６１４、６１６、６２８、１１０ｂを備えている。スパン（span switching）またはリング切替処理（ring switching）が実行される。例えば、現用系ファイバ６２０を通しての信号通信ができない場合には、予備系ファイバ６２２を通しての信号通信が可能となるようにスパン切替処理が実行される。例えば、現用系ファイバ６２０および予備系ファイバ６２２を通しての信号通信ができない場合には、ファイバ１０４、６２４、６３０を用いての信号通信がされるように、リング切替処理が実行される。具体的には、信号は障害から離れる方向に切り替えられ、本リングの反対方向を回って伝送される。ネットワークノード２００、６０４、６０６は光切替部を備えるものであり、電気切替部をさらに備える構成としても良い。ノード２００、６０４、６０６、６０８はセルフヒーリングではなく保護が必要な信号の各々に対応するスイッチを備えている。ネットワークノード２００はクライエント６１０ａ−ｂからの信号を受信する。クライエント６１０ａは優先度の高いクライエントであり、現用系ファイバ６２０を介しての信号通信が可能な場合、クライエント６１０ａからの信号は現用系ファイバ６２０を介してクライエント６１２ａへ通信される。クライエント６１０ｂは優先度の低いクライエントであり、クライエント６１０ｂからの信号は予備系ファイバ６２２を介してクライエント６１２ｂへ通信される。現用系ファイバ６２０を介しての信号通信ができない場合には、ネットワークノード２００は優先度の低いクライエント６１０ｂからの信号を抑制し（squelche）、クライエント６１０ａからの信号を予備系ファイバ６２２へ切り替え、クライエント６１２ａとの信号通信を行わせる。ネットワークノード２００は、優先度の低い信号の信号チャンネルに警報通知を挿入することで、優先度の低い信号の抑制を行う。同様に、クライエント６１２ａは優先度の高いクライエントであり、クライエント６１２ｂは優先度の低いクライエントである。クライエント６１２ａ−ｂからの信号はそれぞれ、クライエント６１０ａ−ｂからの信号と同様な形態で通信される。
【００３０】
ネットワークノード６０４、６０６はそれぞれ、自身の保護及び復旧機能を備えたクライエント６１４、６１６を収容する。ノードのスイッチは信号が多重化される前に信号を任意に切り替えるため、該スイッチはセルフヒーリングクライエントからの信号についての切り替えを防ぐことができる。この構成によれば、リング形態における障害検出及び復旧を、現存する保護切替機構との矛盾を起こすことなく実現することができる。クライエント６１４は現用系ファイバ６１４を介しての信号通信が可能かを判断する。現用系ファイバ６２４が使用可能であれば、クライエント６１４は現用系ファイバ６２４を介してクライエント６１６との信号通信を行う。現用系ファイバ６２４が使用できない場合には、クライエント６１４は予備系ファイバ６２６を介してクライエント６１６との信号通信を行う。クライエント６１６はクライエント６１４と同様な方法により信号通信を行う。
【００３１】
ネットワークノード６０６は、自身の保護及び復旧機能を持たないクライエント６２８のための切替機能を提供する。ネットワークノード６０６はクライエント６２８からの信号を受信し、現用系ファイバ６３０、１０４を介しての信号通信が可能かを判断する。現用系ファイバ６３０、１０４を介しての信号通信が可能な場合には、ネットワークノード６０６は現用系ファイバ６３０を介してネットワークノード６０８へ信号を送信する。ネットワークノード６０８は保護切替機構を備えていない。その後、信号は現用系ファイバ１０４を介してクライエント１１０ｂへ通信される。現用系ファイバ６３０および１０４のいずれかを介しての信号送信ができない場合には、ネットワーク構成要素６０６はクライエント６２８からの信号を予備系ファイバ６３２を介して、予備系ファイバ１０６を介してクライエント１１０ｂと信号通信を行うネットワーク構成要素６０８へ送信する。
【００３２】
図８は、本発明の一実施形態において使用できる２リングシステムのネットワークノードのブロック図である。システム７００はリング７０２とリング７０４とを備えている。図8に示すようにリング７０２はノード７０６、７０８、７１０、７１２を備えている。これらのノードは現用系ファイバ７１４、７１８、７２２、７２６と予備系ファイバ７１６、７２０、７２４、７８８によって接続されている。図8に示すようにリング７０４はノード７３０、７３２、７３４、７３６を備えている。これらのノードは現用系ファイバ７３８、７４２、７４６、７５０と予備系ファイバ７４０、７４４、７４８、７５２によって接続されている。図8に示すように多重装置７９１が多重化信号をファイバに送信してもよい。また、図8に示すようにライン信号再生器７８２、７８４、７８６がノードに接続されてもよい。リング７０２とリング７０４は、リング接続ノード７６０において、クライエント７７０と７７５で結ばれる光パス７８０によって接続される。光パス７８０は、二つのサブ光パスＡ７９０とサブ光パスＢ７９５を備えている。ライン信号再生器７８２、７８４、７８６は、サブ光パスＡ７９０とサブ光パスＢ７９５の性能や運用の管理を分けるために使用されてもよい。現用系ファイバ７２２が障害の場合、リング７０２はスパン切替によりサブ光パスＡ７９０を救済する。現用系ファイバ７２２と予備系ファイバ７２４が障害の場合、リング７０２はリング切替によりサブ光パスＡ７９０を救済する。現用系ファイバ７４６或いは、現用系ファイバ７４６と予備系ファイバ７48が障害の場合、リング７０４は、それぞれスパン切替又は、リング切替を行う。ノード７６０の障害には、システム７００は、ノード間の他の光パスを必要とする。ノード７６０の障害の場合、即ち、現用系ファイバ７２２、７４６と予備系ファイバ７２４、７４８が障害の場合には、システム７００は、ノード７６５を通して他の光パス選択する。
【００３３】
図９は、本発明の一実施形態において使用可能な光パス８２０の性能監視モニタを示すブロック図である。光パス８２０はネットワーク構成要素８２２−８４６を備えている。ネットワーク構成要素８２２−８４６は、信号性能の評価に用い、さらに、信号が予め定めた限定条件を満たさない場合、すなわち信号に問題がある場合には、該信号の状況に関する通知情報の通信に用いられる。信号に関する問題は、例えばビットエラー、警報通知（alarm indication）、信号損失、フレーム損失等に識別することができる。評価モニタ情報は、ＯＸＣの光監視チャンネル（ＯＳＣ）を用いることにより定義できる。ＯＳＣにより、例えば光多重化部での警報表示信号（ＯＭＳ−ＡＩＳ）、光チャンネルでの信号ステータス情報（ＯＣＨ−ＳＴＡ）、光チャンネルでの入力ステータス情報（ＯＣＨ−ＩＮＰ）等が識別できる。また、トランスポンダ（ＴＤＲ）およびクライエントは、信号損失（ＬＯＳ）、フレーム損失（ＬＯＦ）、信号劣化（ＳＤ）、警報表示信号（ＡＩＳ）等の性能監視モニタ処理が可能である。
【００３４】
より具体的には、光パス８２０は、送信ライン終端装置（ＬＴＥ−ＴＸ）８２２、スイッチ８２４、８４４、トランスポンダ８２６、８４２、送信増幅器（ＴＡ）８２８、８３６、光増幅器（ＯＡ）８３０、８３８、受信側増幅器（ＲＡ）８３２、８４０、ライン信号再生器８３４、および受信側ライン終端装置（ＬＴＥ−ＲＸ）８４６を備えている。スイッチ８２４は光チャンネルオーバーヘッド部の入力ステータス情報を定義する。トランスポンダ８２６、８４２は信号損失、フレーム損失、信号劣化または警報通知信号を定義する。送信増幅器８２８、８３６および受信側増幅器８３２、８４０は、光チャンネルオーバーヘッド部での信号ステータス情報および光多重化部での警報通知信号の両方を定義する。光増幅器８３０、８３８は光多重化部での警報通知信号を定義する。ライン信号再生器８３４は光チャンネルオーバーヘッド部での信号ステータス情報を定義する。スイッチ８４４は光チャンネルオーバーヘッド部での信号ステータスを定義する。ライン終端装置８４６は、信号損失信号、フレーム損失信号、信号劣化信号、および警報通知信号を起動する。
【００３５】
図１０は、本発明の一実施形態におけるＳＯＮＥＴ信号をＯＳＣチャネルの通信に用いるフレーム構成８００を示す図である。フレーム構成８００は保護切替を要求する場合と、例えば警報通知、ビットエラーレート、信号損失などの信号ステータス情報および障害検出情報を通信する場合とに用いられる。フレーム構成８００はペイロード部８０２と信号オーバーヘッド部８０４とを備えている。ペイロード部８０２は制御通信チャンネルを伝送するために使用される。波長毎の専用バイト８０６ａ−ｎ、８０８ａ−ｎ、８１０ａ−ｎは制御通信チャンネルの伝送用に使用される。光多リング（multiple optical rings）では共通のペイロード部８０２を使用できる。本実施形態では、リング１は専用バイト８０６ａ−ｎを使用し、リング２は専用バイト８０８ａ−ｎを使用し、リングＮは専用バイト８１０ａ−ｎを使用する。制御バイトを使用することにより、簡単迅速で低コストの光パスの障害復旧が可能となる。
【００３６】
図１１は、本発明の一実施形態における図７の光リング６００で使用することができる光パスの障害復旧方法を示すフローチャートである。本方法では最初ステップ９０２において、発信元クライエント１１０ｂが発信元ノード２００へ信号を送信する。ステップ９０４では、発信元ノード２００が現用系パス１０４へ信号を送信する。ステップ９０６では、現用系パス１０４で信号に影響を与える障害が発生する。ステップ９０８では、ノード６０８が信号に障害があるかを判断し、例えば欠陥通知を信号のオーバーヘッド部に挿入するなどして警報を送る。ノード６０８は評価モニタを含むＯＸＣを備えている。評価モニタは、信号損失や信号劣化などの警報情報を提供する。ノード６０８にはＷＤＭも備えられている。ＷＤＭは、信号損失情報や信号劣化情報を提供する評価モニタや、警報情報を信号のオーバーヘッド部に挿入するＯＳＣを備えている。ノード６０８は現用系ファイバ６３０を介して警報情報を着信先ノード６０６へ送る。
【００３７】
ステップ９１０では、着信先ノード６０６が警報情報を受信する。着信先ノード６０６は警報情報を受信する評価モニタを備えている。着信先ノード６０６は現用系パス６３０を経由して、現用系ファイバ１０４が使用できず信号再送信を要求する旨を示す警報情報を送る。この要求は発信元ノード２００へ送信される。ステップ９１２では、発信元ノード２００が上記要求を受信する。発信元ノード２００は、現用系パス１０４から上記要求を受信するＷＤＭ１１４を備えている。ＷＤＭ１１４は該要求をＯＸＣ１０２へ通信する。
【００３８】
ステップ９１４では、発信元ノード２００のＯＸＣスイッチは光パスを現用系パス１０４から予備系パス１０６へ切り替える。ＯＸＣ１０２のコントローラ２１０は上記要求を受信し、光スイッチ２１２は信号をＷＤＭ１３０へ通信し、該信号をＷＤＭ１３０は予備系パス１０６へ通信する。クライエント１１０ｂから送信されてきた信号だけが予備系パス１０６へ切り替えられた。例えばセルフヒーリング機能を持つクライエントからの信号など、他の信号はＯＸＣ１０２によって切り替えられてはいない。ステップ９１６では、発信元ノード２００が予備系パス１０６へ信号を送信する。ステップ９２０では、信号がノード６０８および予備系パス６３２を通りノード６０６へ伝送される。ステップ９２２では、着信先クライエント６２８が信号を受信する。
【００３９】
【発明の効果】
本発明によれば、波長分割多重ネットワークにおける光パスの障害復旧方法およびシステムを改善することができるという技術的に有利な効果を奏する。特に、切替モジュール（switching module）は波長レベルで個別の信号を切り替えるため、選択された信号だけを切り替えることができる。この選択的信号切替を用いて、自身の保護および障害復旧機能を備えるクライエントからの信号だけを切り替えないようすることで、該クライエントからの信号に関する切替衝突（switching conflict）の発生を防ぐことができる。さらに、切替モジュールは必要とされる個所にだけ設置すれば良く、保護および障害復旧資源の節約が可能となる。さらにまた、切替モジュールを追加あるいは移動させることで、追加されたネットワーク構成要素の保護および障害復旧機能を確保することができるため、光ネットワークのアップグレードが容易になる。したがって、選択的信号切替を用いることで本発明は、波長分割多重ネットワークにおける光パスの障害復旧を効率的および効果的に実行することができる。
【００４０】
さらに本発明によれば、波長分割多重ネットワークにおける光パスの障害復旧のためのシステム構成を改善することができるという技術的に有利な効果を奏する。特に、切替モジュールは波長レベルで個別の信号を切り替える。本システムの性能を改善するために、ライン信号再生装置（line regenerating equipment）およびトランスポンダーを使用することもできる。また、本発明によれば、システムの実現方法（implementation scheme）を改善できるという技術的効果がある。ネットワーク構成要素は、ライン障害を検出するために、例えば特別な配線やネットワーク装置管理マネージャ（element manager）等を用いて互いに障害検出情報を通信し合う。さらに、障害検出情報を送信するために専用の制御バイトを用いてもよい。また、本発明によれば、装置構成を改善できるという技術的効果がある。切替モジュールは、元のパスと代替パスとのそれぞれに互いに独立した切替部を備えることにより、信頼性の高い構成を実現できる。さらに、システム性能を向上させるために、トランスポンダーや電気的スイッチをシステムに組み込む構成としても良い。
【図面の簡単な説明】
【図１】本発明の一実施形態における光ネットワークのブロック図である。
【図２】図１の光ネットワークで使用できる中間（intermediate）ネットワークノードのブロック図である。
【図３】本発明の一実施形態におけるカードシェルフ（card shelf）構成の光パスクロスコネクトのブロック図である。
【図４】図１の光ネットワークで使用できるトランスポンダーを備えたノードのブロック図である。
【図５】図２のネットワークノードと同様なネットワークノードで使用することができるスイッチのブロック図である。
【図６】光スイッチの代わりに使用できる本発明の一実施形態における電気的スイッチのブロック図である。
【図７】図１の光ネットワークで用いることができる光リングネットワークノードのブロック図である。
【図８】本発明の一実施形態において使用できる２リングシステムのネットワークノードのブロック図である。
【図９】本発明の一実施形態において使用することができる光パスの性能監視モニタ方法の説明図である。
【図１０】本発明の一実施形態において保護切替処理を実行する、ＳＯＮＥＴシステムにおける通信のためのフレーム構成を示す説明図である。
【図１１】本発明の一実施形態における光リングにおける光パスの障害復旧方法を示すフローチャートである。
【符号の説明】
１０１…ネットワークノード、１０２…光クロスコネクト、１０３…ネットワークノード、１０４…現用系ファイバ、１０６…予備系ファイバ、１１０ａ−ｂ…クライエント、１１２ａ−ｂ…スイッチ、１１４、１１６…波長分割多重化装置、１２０…光クロスコネクト、１２２ａ−ｂ…スイッチ、１２４ａ−ｂ…クライエント、１３０、１３２…波長分割多重化装置、１３４、１３６…クライエント。
【図１】
0004402844.tif 000002
【図２】
0004402844.tif 000003
【図３】
0004402844.tif 000004
【図４】
0004402844.tif 000005
【図５】
0004402844.tif 000006
【図６】
0004402844.tif 000007
【図７】
0004402844.tif 000008
【図８】
0004402844.tif 000009
【図９】
0004402844.tif 000010
【図１０】
0004402844.tif 000011
【図１１】
0004402844.tif 000012